(57)【要約】【課題】  勾配屋根や傾斜壁等の勾配を持つ面のブレースの接合に使用されて、面外方向の勾配を自由に変えることが可能で、かつ簡素な構成の勾配対応ブレース接合金物およびこれを用いた建物躯体構造を提供する。【解決手段】  雄ねじ部２ｅを有するねじ棒２と、可動ブレース接合部材５と、躯体取付部材６とを有する。可動ブレース接合部材５は、ねじ棒２に螺合するナット部３、およびこのナット部３と一体化され建物躯体のブレース８を接合する接合片部４を有する。前記躯体取付部材６は、前記ねじ棒２の端部を支持し、建物躯体に固定する部材である。【選択図】        図１
2017066659.tif 000002
【特許請求の範囲】
【請求項１】
雄ねじ部を有するねじ棒と、このねじ棒の前記雄ねじ部に螺合するナット部およびこのナット部と一体化され建物躯体のブレースの接合用の接合片部を有する可動ブレース接合部材と、前記ねじ棒の端部を支持し建物躯体に固定する躯体取付部材とを備える勾配対応ブレース接合金物。
【請求項２】
請求項１に記載の勾配対応ブレース接合金物において、前記躯体取付部材が、互いにＬ字形を成す２枚の板部からなり、各板部に前記ねじ棒の両端が接合された勾配対応ブレース接合金物。
【請求項３】
請求項１に記載の勾配対応ブレース接合金物において、前記躯体取付部材が平板状であり、前記ねじ棒は両端が前記躯体取付部材に接合され、中間部が前記躯体取付部材から浮き上がるように屈曲した形状である勾配対応ブレース接合金物。
【請求項４】
請求項１に記載の勾配対応ブレース接合金物において、前記躯体取付部材が２つあって、それぞれに前記ねじ棒の両端が固定され、前記２つの躯体取付部材は、少なくとも前記可動ブレース接合部材が干渉しない距離だけ互いに離れている勾配対応ブレース接合金物。
【請求項５】
請求項１ないし請求項４のいずれか１項に記載の勾配対応ブレース接合金物において、前記ねじ棒に、前記ナット部の両側で螺合して前記ナット部の端面を押しつけるロック用ナットを有する勾配対応ブレース接合金物。
【請求項６】
前記建物躯体の上下方向位置および水平方向位置の両方が互いに異なる部位に、請求項１ないし請求項５のいずれか１項に記載の勾配対応ブレース接合金物が設置され、両勾配対応ブレース接合金物に前記ブレースの両端がそれぞれ固定された建物躯体構造。
【発明の詳細な説明】
【技術分野】
【０００１】
この発明は、傾斜壁や勾配天井等の勾配を有する部位に適用されるブレースを建物躯体に接合する勾配対応ブレース接合金物およびこれを用いた建物躯体構造に関する。
【背景技術】
【０００２】
建物の剛性を持たせるために、水平構面では火打ちや合板、鉛直構面ではブレースや合板を用いて施工することが一般的になされている。
しかし、勾配天井や、傾斜制限を満足するための傾斜壁では、ブレースは、面内方向と面外方向との２方向の傾斜を持つことになる。そのため、上記の一般的な工法で施工することが困難である。そこで、勾配天井や傾斜壁では、その勾配毎に、個別で金物を設計するなどして対応をしている。
なお、特許文献１には、傾斜壁に相当する野地板が記載されている。
【先行技術文献】
【特許文献】
【０００３】
【特許文献１】特開２０１１−２２００７２号公報
【発明の概要】
【発明が解決しようとする課題】
【０００４】
勾配屋根や傾斜壁にブレースを取付ける場合、上記のように面内方向と面外方向との２方向の傾斜が必要となる。面内方向だけであれば、通常のブレースの接合構造で対応できる。しかし、面外方向の傾斜に対しては、金物形状で対応するしかなかった。そのため、建物形状や使用箇所による勾配に合わせた形状にするために、個別に金物を製作する必要がある。その結果、金物の設計に時間がかかり、また多品種少量生産のために、金物価格も高くなる傾向がある。
上記特許文献１においても、面外方向の種々勾配に対応する金物については、何ら記載も示唆もされていない。
【０００５】
この発明の目的は、勾配屋根や傾斜壁等の勾配を持つ面のブレースの接合に使用されて、面外方向の勾配を自由に変えることが可能で、かつ簡素な構成の勾配対応ブレース接合金物およびこれを用いた建物躯体構造を提供することである。
【課題を解決するための手段】
【０００６】
この発明の勾配対応ブレース接合金物は、雄ねじ部を有するねじ棒と、このねじ棒の前記雄ねじ部に螺合するナット部およびこのナット部と一体化され建物躯体のブレースの接合用の接合片部を有する可動ブレース接合部材と、前記ねじ棒の端部を支持し建物躯体に固定する躯体取付部材とを備える。前記ブレースは、鋼製であっても、また木製であっても良い。
【０００７】
この構成によると、可動ブレース接合部材が、ナット部でねじ棒の回りに自由に回転できる。そのため、ブレースに、面外方向に自由に傾斜を持たせることができる。また、可動ブレース接合部材は、ナット部でねじ棒に螺合しているため、ねじ棒の長手方向に不測に移動することがない。そのため、可動ブレース接合部材をねじ棒の長手方向に位置決めする手段で不要であり、簡素な構成となる。
このように、勾配屋根や傾斜壁等の勾配を持つ面のブレースの接合に使用された場合に、面外方向の勾配を自由に変えることが可能で、かつ簡素な構成となる。
【０００８】
この発明の勾配対応ブレース接合金物において、前記躯体取付部材が、互いにＬ字形を成す２枚の板部からなり、各板部に前記ねじ棒の両端が接合された構成であっても良い。
この構成の場合、前記躯体取付部材の２枚の板部を、例えば建物の梁と柱との接合部で、これら梁と柱に取付けることができる。また、前記ねじ棒の両端が互いにＬ字形を成す２枚の板部に接合されるため、これら２枚の板部に前記可動ブレース接合部材が干渉せず、干渉回避のための構成部分を他に設けることが不要となる。
【０００９】
この発明において、前記躯体取付部材が平板状であり、前記ねじ棒は両端が前記躯体取付部材に接合され、中間部が前記躯体取付部材から浮き上がるように屈曲した形状であっても良い。
この構成の場合、躯体取付部材が平板状であるため、柱と梁との角部に限らず、躯体取付部材を梁または柱の任意の位置に設置することができる。
【００１０】
また、この発明において、前記躯体取付部材が２つあって、それぞれに前記ねじ棒の両端が固定され、前記２つの躯体取付部材は、少なくとも前記可動ブレース接合部材が干渉しない距離だけ互いに離れている構成としても良い。
この構成の場合、躯体取付部材が２つのために別々に取付ける作業は必要となるが、ねじ棒や躯体取付部材の形状に特に工夫を施すことなく、前記可動ブレース接合部材が躯体取付部材に干渉することを回避できる。
【００１１】
この発明の上記いずれかの構成の勾配対応ブレース接合金物において、前記ねじ棒に、前記ナット部の両側で螺合して前記ナット部の端面を押しつけるロック用ナットを有する構成としても良い。
この構成の場合、ブレースの施工が完了した後などに、前記ロック用ナットを締めつけることで、可動ブレース接合部材が回転することを阻止できる。そのため、例えば、ブレースが圧縮力の負担を行う機能を有する部材である場合に、可動ブレース接合部材が回転して圧縮力の伝達を阻害することが回避される。なお、ブレースに引っ張り力が作用する場合は、前記勾配対応ブレース接合金物が回転しても支障がない。
【００１２】
この発明の建物躯体構造は、この発明の上記いずれかの構成の勾配対応ブレース接合金物を備えるため、勾配が種々異なっていても、共通の勾配対応ブレース接合金物を用いることができ、個別設計によるブレース接続金物を用いる必要がなくて、安価に製作できる。
【発明の効果】
【００１３】
この発明の勾配対応ブレース接合金物は、雄ねじ部を有するねじ棒と、このねじ棒の前記雄ねじ部に螺合するナット部およびこのナット部と一体化され建物躯体のブレースの接合用の接合片部を有する可動ブレース接合部材と、前記ねじ棒の端部を支持し建物躯体に固定する躯体取付部材とを備えるため、勾配屋根や傾斜壁等の勾配を持つ面のブレースの接合に使用されて、面外方向の勾配を自由に変えることが可能で、かつ簡素な構成で安価に製作できる。
【００１４】
この発明の建物躯体構は、この発明の上記いずれかの構成の勾配対応ブレース接合金物を備えるため、勾配が種々異なっていても、共通の勾配対応ブレース接合金物を用いることができ、個別設計によるブレース接続金物を用いる必要がなくて、安価に製作できる。
【図面の簡単な説明】
【００１５】
【図１】この発明の第１の実施形態に係る勾配対応ブレース接合金物の斜視図である。
【図２】同実施形態の勾配対応ブレース接合金物におけるねじ棒にロックナットを用いた変形例の拡大正面図である。
【図３】この発明の他の実施形態に係る勾配対応ブレース接合金物の斜視図である。
【図４】この発明の前記各実施形態に係る勾配対応ブレース接合金を使用した建物躯体構造の斜視図および側面図である。
【図５】同勾配対応ブレース接合金物使用の建物躯体構造の側面図である。
【図６】この発明の前記各実施形態に係る勾配対応ブレース接合金物を使用した建物躯体の他の例の側面図である。
【図７】同建物躯体の平面図である。
【図８】この発明のさらに他の実施形態に係る勾配対応ブレース接合金物の斜視図である。
【図９】この発明のさらに他の実施形態に係る勾配対応ブレース接合金物の斜視図である。
【図１０】この発明のさらに他の実施形態に係る勾配対応ブレース接合金物の斜視図である。
【発明を実施するための形態】
【００１６】
この発明の第１の実施形態に係る勾配対応ブレース接合金物を図１，図２と共に説明する。この勾配対応ブレース接合金物１は、雄ねじ部２ｅを有するねじ棒２と、このねじ棒２の前記雄ねじ部２ｅに螺合するナット部３およびこのナット部３と一体化され建物躯体のブレース（筋かい）８の接合用の接合片部４を有する可動ブレース接合部材５と、前記ねじ棒２の端部を支持し建物躯体に固定する躯体取付部材６とを備える。
【００１７】
ねじ棒２は、この例では全長に渡って雄ねじ部２ｅが形成された全ねじボルトとしているが、前記雄ねじ部２ｅは、ねじ棒２の前記ナット部３が螺合する範囲、例えば中央付近のみとしても良い。その場合、前記ナット部３がねじ棒２の一端から雄ねじ部２ｅにねじ込む作業が可能なように、例えば雄ねじ部２ｅを他の部分より大径とすることが好ましい。
【００１８】
前記躯体取付部材６は、互いにＬ字形を成す２枚の板部６ａ，６ｂからなり、各板部６ａ，６ｂに前記ねじ棒５の両端が溶接等で接合されている。前記板部６ａ，６ｂには、躯体への取付用のボルトやビス等が挿通される複数の取付孔（図示せず）が設けられている。
【００１９】
前記可動ブレース接合部材５におけるナット部３は長ナットとされ、前記接合片部４は矩形の鋼板等が用いられ、ナット部３に溶接等で接合されている。なお、ナット部３と接合片部４は、互いに一つの部材から加工されたものであっても良い。接合片部４には、取付孔であるボルト孔７を有し、ブレース８の端部の接続金物９が接合部材５に重ねられて、前記接続金物９のボルト孔１０と前記ボルト孔７とに渡って挿通されたボルトおよびナット（いずれも図示せず）により締めつけて接合される。ブレース８は、鋼棒等の軸材８ａの両端に前記接続金物９を溶接で接合したものであり、軸材８ａの中間にターンバクル（図示せず）を有していても良い。
【００２０】
この勾配対応ブレース接合金物１は、例えば、前記躯体取付部材６が前記２枚の板部６ａ，６ｂにより、建物躯体の梁２１および柱２２に固定される。この勾配対応ブレース接合金物１に、前記ブレース８が接合される。
【００２１】
この構成の勾配対応ブレース接合金物１によると、可動ブレース接合部材５が、ナット部３でねじ棒２の回りに自由に回転できる。そのため、ブレース８に面外方向に傾斜を自由に持たせることができる。また、可動ブレース接合部材５は、ナット部３でねじ棒２に螺合しているため、ねじ棒２の長手方向に不測に移動することがなく、可動ブレース接合部材５をねじ棒２の長手方向に位置決めする手段で不要であり、簡素な構成となる。
このため、この勾配対応ブレース接合金物１は、例えば勾配屋根や傾斜壁等の勾配を持つ構面のブレースの接合に使用された場合に、面外方向の勾配を自由に変えることが可能で、かつ簡素な構成となる。
【００２２】
また、前記躯体取付部材６がＬ字形に形成されているため、前記のように、２枚の板部６ａ，６ｂを、梁２１と柱２２との接合部で、これら梁２１と柱２２に取付けることができる。また、前記ねじ棒２の両端が互いにＬ字形を成す２枚の板部６ａ，６ｂに接合されるため、これら２枚の板部６ａ，６ｂに前記可動ブレース接合部材５が干渉せず、干渉回避のための構成部分を他に設けることが不要となる。
【００２３】
なお、図１の例では、可動ブレース接合部材５のナット部３を特に拘束しなかったが、図２に示すように、ねじ棒２に、前記ナット部３の両側でそれぞれ螺合して前記ナット部３の端面を押しつけるロック用ナット１１を設けても良い。ロック用ナット１１は、例えば通常の６角ナットである。
この構成の場合、ブレース８の施工が完了した後などに、前記ロック用ナット１１を締めつけることで、ねじ溝（図示せず）の遊びが無くなり、強固に固定され、可動ブレース接合部材５が回転することを阻止できる。そのため、例えば、ブレース８が圧縮力の負担を行う機能を有する部材である場合に、可動ブレース接合部材５が回転して圧縮力の伝達を阻害することが回避される。なお、ブレースに引っ張り力が作用する場合は、前記勾配対応ブレース接合金物が回転しても支障がない。
【００２４】
図３は、他の実施形態を示す。特に説明する事項の他は、図１，図２に示す第１の実施形態と同様である。この実施形態における勾配対応ブレース接合金物１Ａは、前記躯体取付部材６が平板状であり、前記ねじ棒２は両端が前記躯体取付部材６に接合され、中間部が前記躯体取付部材６から浮き上がるように屈曲された形状とされている。ねじ棒２は、具体的には、中央の直線状の浮き上がり部２ａと、躯体取付部材６に溶接で接合された直線状の固定部２ｂと、これら浮き上がり部２ａと固定部２ｂの間に位置する傾斜部２ｃとで構成される。
【００２５】
この構成の場合、躯体取付部材６が平板状であるため、柱と梁が接合される角部に限らず、躯体取付部材６を梁２２または柱（図３には図示せず）の任意の位置に設置することができる。
【００２６】
図４および図５は、この勾配対応ブレース接合金物１，１Ａを建物の外壁の一部である傾斜壁３１に設置した建物躯体構造の一例を示す。傾斜壁３１は、下側および上側の梁２３，２４に設置された傾斜桟２８に外装面材（図示せず）を張って構成されている。前記上側の梁２４は、下側の梁２３よりも引っ込んだ位置にあり、下側の梁２５上に建てられた柱２６の上端に接合されている。梁２４には、屋内側に延びる梁２７が接合されている。
なお、図５では勾配対応ブレース接合金物１，１Ａを簡略化して図示している。
【００２７】
同図の例では、前記上側の梁２４と柱２６とで成す角部に、図１の実施形態に係る勾配対応ブレース接合金物１が、図示１とは上下逆の姿勢で設置されている。また、下側の梁２３の上面に、図３の実施形態に係る勾配対応ブレース接合金物１Ａが上向きに設置されている。これら上下の勾配対応ブレース接合金物１，１Ａに、ブレース８の両端が接合されている。
【００２８】
このように、傾斜壁３１に前記実施形態の勾配対応ブレース接合金物１，１Ａを設置することで、その可動ブレース接合部材５が自由に回動することで、傾斜壁３１の任意の勾配に対応してブレース８を設置することができる。
【００２９】
図６および図７は、図１または図３の実施形態に係る勾配対応ブレース接合金物１，１Ａを勾配天井に用いた建物躯体構造を示す。図６に示すように、軒部、棟部、およびその中間に梁４１，４２，４３が設置され、その上に屋根面材４６が張られる。前記梁４１，４２，４３に直交して、図７に示すように傾斜した梁４５が設けられ、これらの梁４１，４２，４３，４５で囲まれる箇所に、ブレース８が張られる。このブレース８の両端が、前記図１または図３の実施形態に係る勾配対応ブレース接合金物１，１Ａが用いられる。図１の勾配対応ブレース接合金物１を用いる場合は、前記軒部、棟部、または中間に位置する水平な梁４１，４２，４３と、前記傾斜した梁４５とに、勾配対応ブレース接合金物１の板部６ａ，６ｂが取り付けられる。図３の勾配対応ブレース接合金物１Ａを用いる場合は、例えば水平方向の梁４１，４２，４３に取付けられる。
このように、前記勾配対応ブレース接合金物１，１Ａを設置することで、その可動ブレース接合部材５が自由に回動することで、天井面の任意の勾配に対応してブレース８を設置することができる。
【００３０】
図８ないし図１０は、それぞれ、この発明のさらに他の実施形態に係る勾配対応ブレース接合金物１Ｂ，１Ｃ，１Ｄを示す。これらの実施形態は、いずれもブレース８が木製である場合の例である。ブレース８は、具体的には平角状の部材である。
図８の実施形態は、図１の実施形態において、可動ブレース接合部材５における接合片部４に、木製のブレース８を接合するための固着具挿通孔７Ａを複数設けたものである。固着具挿通孔７Aには、木ねじや釘等の固着具が用いられる。
【００３１】
図９の実施形態は、図３の実施形態において、可動ブレース接合部材５における接合片部４に、木製のブレース８を接合するための固着具挿通孔７Ａを複数設けたものである。
【００３２】
図１０の例は、躯体取付部材６が２つの分割躯体取付部材６ｃ，６ｃからなり、それぞれの分割躯体取付部材６ｃ，６ｃに前記ねじ棒２の両端が固定されている。前記２つの分割躯体取付部材６ｃ，６ｃは、少なくとも前記可動ブレース接合部材５が干渉しない距離だけ互いに離れている。この構成において、前記可動ブレース接合部材５における接合片部４に、木製のブレース８を接合するための固着具挿通孔７Ａを複数設けている。
【００３３】
これら図８〜図１０に示すように、ブレース８が木製であっても、この勾配対応ブレース接合金物１〜１Ｄを適用することができる。
また、その場合に、先行して、木ねじや釘を施工するという簡単な手法が採用でき、費用が非常に少なく、費用対効果が高い。固定または補強用の木ねじや釘は、１本よりも複数本を施工する方が固定の効果が高く、求められる性能に応じて固着具挿通孔７Ａの個数や配置を適宜設計すれば良い。なお、補強用の木ねじや釘は、特殊な形状は必要でなく、一般的な木ねじ（コースレッドなど）や、釘（ＣＮ釘など）であっても良く、十分な固定の効果が得られる。木材のブレース８に木ねじのねじ頭や釘頭に段差がないように施工することが重要であるが、施工管理が行い易く、安定した性能を確保し易い。補強用の木ねじや釘は、長くて太い方が補強効果が高い。また、木ねじや釘を効果的に作用させるためには、最もめり込む場所に施工することが良い。
【００３４】
なお、図１０の勾配対応ブレース接合金物１は、固着具挿通孔７Ａの個数を例えば一つとするなど、固着具挿通孔７Ａの個数を減らすことで、鋼製のブレース８にも適用が可能になる。  図１０の実施形態の場合、躯体取付部材が２つのために別々に取付ける作業は必要となるが、ねじ棒２や躯体取付部材６の形状に特に工夫を施すことなく、前記可動ブレース接合部材５が躯体取付部材６に干渉することが回避される。
【００３５】
以上、実施例に基づいて本発明を実施するための形態を説明したが、ここで開示した実施の形態はすべての点で例示であって制限的なものではない。本発明の範囲は上記した説明ではなくて特許請求の範囲によって示され、特許請求の範囲と均等の意味および範囲内でのすべての変更が含まれることが意図される。
【符号の説明】
【００３６】
１…勾配対応ブレース接合金物
２…ねじ棒
２ｅ…雄ねじ部
３…ナット部
４…接合片部
５…可動ブレース接合部材
６…躯体取付部材
６ａ，６ｂ…板部
７…ボルト孔
８…ブレース
９…接続金物
１０…ボルト孔
１１…ロック用ナット
２１…梁
２２…柱
【図１】
2017066659.tif 000003
【図２】
2017066659.tif 000004
【図３】
2017066659.tif 000005
【図４】
2017066659.tif 000006
【図５】
2017066659.tif 000007
【図６】
2017066659.tif 000008
【図７】
2017066659.tif 000009
【図８】
2017066659.tif 000010
【図９】
2017066659.tif 000011
【図１０】
2017066659.tif 000012